(57)【特許請求の範囲】
【請求項１】
内部容器を備え複数の収納部に区画した容器本体と、その容器本体に固着されるバルブアッセンブリと、前記収納部に充填される２つの内容物と、バルブアッセンブリに装着される吐出部材とを備えている２液吐出装置であって、
前記収納部が、２つの内容物のうち一方を収容する第１収納部と、他方を収容する第２収納部とを備えており、
前記バルブアッセンブリが、第１および第２収納部からそれぞれステムの先端まで内容物を通すための互いに独立した２つのバルブ通路を備えており、
前記吐出部材が、いずれか１つのバルブ通路を選択して閉鎖する選択手段を備えており、
前記選択手段が吐出部材に設けられた選択して押すことができる２個の押しボタンであり、一方の押しボタンが一方のバルブ通路を閉鎖しながらステムを押下げ、他方の押しボタンが他方のバルブ通路を閉鎖しながらステムを押し下げるものである２液吐出装置。
２液吐出装置。
【請求項２】
内部容器を備え複数の収納部に区画した容器本体と、その容器本体に固着されるバルブアッセンブリと、前記収納部に充填される２つの内容物と、バルブアッセンブリに装着される吐出部材とを備えている２液吐出装置であって、
前記収納部が、２つの内容物のうち一方を収容する第１収納部と、他方を収容する第２収納部とを備えており、
前記バルブアッセンブリが、第１および第２収納部からそれぞれステムの先端まで内容物を通すための互いに独立した２つのバルブ通路を備えており、
前記吐出部材が、いずれか１つのバルブ通路を選択して閉鎖する選択手段を備えており、
前記選択手段が吐出部材に設けられた２つのステム装着部であり、前記吐出部材が、一方のステム装着部をステムに装着して一方のバルブ通路を閉鎖しながらステムを押下げ、他方のステム装着部をステムに装着して他方のバルブ通路を閉鎖しながらステムを押下げるものである２液吐出装置。
【請求項３】
内部容器を備え複数の収納部に区画した容器本体と、その容器本体に固着されるバルブアッセンブリと、前記収納部に充填される２つの内容物と、バルブアッセンブリに装着される吐出部材とを備えている２液吐出装置であって、
前記収納部が、２つの内容物のうち一方を収容する第１収納部と、他方を収容する第２収納部とを備えており、
前記第１収納部および第２収納部から前記吐出部材の吐出孔まで連通する独立した２つの吐出通路を備えており、
前記吐出部材が、いずれか１つの吐出通路を閉鎖する選択手段を備えており、
前記吐出部材がステム装着部から吐出孔まで内容物を通すための互いに独立した２つのボタン通路を備えており、
前記選択手段が吐出部材の先端に装着される選択ノズルであり、一方の装着方向により一方の吐出孔を閉鎖し、他方の装着方向により他方の吐出孔を閉鎖する、２液吐出装置。
【請求項４】
前記第１収納部と第２収納部が上下に配置されており、下側に配置される第１収納部とバルブアッセンブリとを連通する通路が容器本体の軸線上にある請求項１、２または３のいずれかに記載の２液吐出装置。
【請求項５】
前記吐出部材が２個の押しボタンを上下動可能に装着するボタン本体を備えている、請求項１記載の２液吐出装置。
【発明の詳細な説明】
【技術分野】
【０００１】
本発明は２種類の内容物を区画して収容しておき、内容物を選択して吐出できる２液吐出装置に関する。
【背景技術】
【０００２】
特許文献１には、外容器内に上下に区画した２つの収納部を有する内袋を備えた複数内容物吐出用の包装容器が開示されている。この包装容器は各収納部からステムの先端まで独立した通路を有するバルブを備えており、各内容物は同時に吐出される。そのため、２液型染毛剤などを吐出するとき、２液を常時一定の比率で吐出できる。しかし用途や目的に応じて別々に吐出することはできない。
【０００３】
特許文献２の図５には、シリンダ内に２つのピストンを挿入して第１室と第２室を形成し、第１室と連通する第１バルブと第２室と連通する第２バルブとを設け、それぞれのバルブに独立して操作できる押しボタンを設けた２液内容物の吐出装置が開示されている。この吐出装置は、押しボタンを操作することで２つの内容物を別々に吐出することができる。しかしバルブが２セット必要であるので部品点数が多くなる。さらに下方の第２室と連通する通路が容器の中心軸からずれているため、製造時に方向を合せる必要があり手間がかかる。
【先行技術文献】
【特許文献】
【０００４】
【特許文献１】特許第４２８６１５４号公報
【特許文献２】特開２０１１−１４０３５３号公報
【発明の概要】
【発明が解決しようとする課題】
【０００５】
２つの内容物を別々に吐出することができ、しかも容易に組み立てることができる２液吐出装置を提供する。
【課題を解決するための手段】
【０００６】
本発明の２液吐出装置は、内部容器を備え複数の収納部に区画した容器本体と、その容器本体に固着されるバルブアッセンブリと、前記収納部に充填される２つの内容物と、バルブアッセンブリに装着される吐出部材とを備えている２液吐出装置であって、前記収納部が、２つの内容物のうち一方を収容する第１収納部と、他方を収容する第２収納部とを備えており、前記第１収納部および第２収納部から前記吐出部材の吐出孔まで連通する独立した２つの吐出通路を備えており、前記吐出部材が、いずれか１つの吐出通路を閉鎖する選択手段を備えていることを基本的な特徴としている。
【０００７】
このような２液吐出装置においては、前記第１収納部と第２収納部が上下に配置されており、下側に配置される第１収納部とバルブアッセンブリとを連通する通路が容器本体の軸線上にあるものが好ましい。
【０００８】
本発明の２液吐出装置の第１の態様は、前記基本的な特徴に加えて、さらに前記バルブアッセンブリが、第１および第２収納部からそれぞれステムの先端まで内容物を通すための互いに独立した２つのバルブ通路を備えており、前記選択手段が、いずれか１つのバルブ通路を閉鎖するものであり、前記選択手段が吐出部材に設けられた選択して押すことができる２個の押しボタンであり、一方の押しボタンが一方のバルブ通路を閉鎖しながらステムを押下げ、他方の押しボタンが他方のバルブ通路を閉鎖しながらステムを押し下げるものであることを特徴としている。
【０００９】
前記第１の態様においては、前記吐出部材が２個の押しボタンを上下動可能に装着するボタン本体を備えているものが好ましい。
【００１０】
本発明の２液吐出装置の第２の態様は、前記基本構成に加えて、前記バルブアッセンブリが、第１および第２収納部からそれぞれステムの先端まで内容物を通すための互いに独立した２つのバルブ通路を備えており、前記選択手段が、いずれか１つのバルブ通路を閉鎖するものであり、前記選択手段が吐出部材に設けられた２つのステム装着部であり、前記吐出部材が、一方のステム装着部をステムに装着して一方のバルブ通路を閉鎖しながらステムを押下げ、他方のステム装着部をステムに装着して他方のバルブ通路を閉鎖しながらステムを押し下げるものであることを特徴としている。
【００１１】
本発明の第３の態様は、前記基本的な特徴に加えて、前記吐出部材がステム装着部から吐出孔まで内容物を通すための互いに独立した２つのボタン通路を備えており、前記選択手段がいずれか１つのボタン通路を閉鎖するものであり、前記選択手段が吐出部材の先端に装着される選択ノズルであり、一方の装着方向により一方の吐出孔を閉鎖し、他方の装着方向により他方の吐出孔を閉鎖するものであることを特徴としている。
前記選択手段がボタン通路の途中に設けられた選択弁であり、その選択弁が、一方の弁方向により一方のボタン通路を閉鎖し、他方の弁方向により他方のボタン通路を閉鎖するものが好ましい。
【発明の効果】
【００１２】
本発明の２液吐出装置は、１個の装置であるにも関わらず、吐出部材の選択手段を操作することで２種類の内容物を別々に吐出することができる。そのため、消費者が選択操作しやすく、ある内容物を使用した後、引き続いて他の内容物を使用する場合に便利である。また、内容物同士を混合して使用する場合でも、消費者が混合比率を任意に設定することができる。そして２つの内容物を連続して充填することができる。さらに充填装置によっては、２つの内容物を同時に充填することもできる。
【００１３】
このような２液吐出装置において、前記第１収納部と第２収納部が上下に配置されており、下側に配置される第１収納部とバルブアッセンブリとを連通する通路が容器本体の軸線上にある場合は、内部容器とバルブアッセンブリの中心線回りの角度を合わす必要がなく、組み立て作業が容易である。
【００１４】
前記バルブアッセンブリが、第１および第２収納部からそれぞれステムの先端まで内容物を通すための互いに独立した２つのバルブ通路を備えており、前記選択手段がいずれか１つのバルブ通路を閉鎖する場合は、吐出後にバルブ通路内に残る残留物がほとんどないため無駄がなく、特に内容物が２液式染毛剤のように空気（酸素）と接触すると反応するものである場合は反応後の内容物が乾燥してバルブ通路を閉塞するのを防止できる。
【００１５】
前記選択手段が吐出部材に設けられた選択して押すことができる２個の押しボタンであり、一方の押しボタンが一方のバルブ通路を閉鎖しながらステムを押下げ、他方の押しボタンが他方のバルブ通路を閉鎖しながらステムを押し下げるものである場合は、２個の押しボタンのうち、一方を選択して押すだけで、その押しボタンに関わる内容物のみを吐出することができる。
【００１６】
前記吐出部材が２個の押しボタンを上下動可能に装着するボタン本体を備えている場合は、ボタン本体を押し下げると２つの内容物を同時に吐出することができる。
【００１７】
前記選択手段が吐出部材に設けられた２つのステム装着部であり、前記吐出部材が、一方のステム装着部をステムに装着して一方のバルブ通路を閉鎖しながらステムを押下げ、他方のステム装着部をステムに装着して他方のバルブ通路を閉鎖しながらステムを押し下
げるものである場合は、ステム装着部を選択して吐出部材をステムに装着することで吐出する内容物を選択することができる。
【００１８】
前記吐出部材がステム装着部から吐出孔まで内容物を通すための互いに独立した２つのボタン通路を備えており、前記選択手段がいずれか１つのボタン通路を閉鎖する場合は、吐出部材をステムから外して再装着する必要がなく、選択操作が容易である。
【００１９】
前記選択手段がボタン通路の途中に設けられた選択弁であり、その選択弁が、一方の弁方向により一方のボタン通路を閉鎖し、他方の弁方向により他方のボタン通路を閉鎖するものである場合は、弁の向きを選択するだけで吐出する内容物を選択することができる。
【００２０】
前記選択手段が吐出部材の先端に装着される選択ノズルであり、一方の装着方向により一方の吐出孔を閉鎖し、他方の装着方向により他方の吐出孔を閉鎖する場合は、選択ノズルの向きを選択して付け替えるだけで吐出する内容物を選択することができる。
【図面の簡単な説明】
【００２１】
【図１】本発明の２液吐出装置の一実施形態を示す断面図である。
【図２】図２は図１の２液吐出装置の要部断面図である。
【図３】図３ａは図１の２液吐出装置に用いる吐出部材の平面図、図３ｂはその吐出部材の押しボタンの分離状態を示す斜視図、図３ｃは分離した状態の押しボタンを下から見た斜視図である。
【図４】本発明に係る吐出部材の他の実施形態を示す断面図である。
【図５】図５ａは本発明に係る吐出部材のさらに他の実施形態を示す断面図、図５ｂはその吐出部材の切り替えた状態を示す断面、図５ｃはその吐出部材の切り替え機構を示す拡大断面図である。
【図６】本発明の２液吐出装置の他の実施形態示す断面図である。
【図７】本発明に係る吐出部材のさらに他の実施形態を示す断面図である。
【図８】図７の吐出部材の正面図である。
【図９】図７のVII-VII線断面図である。
【図１０】本発明に係る吐出部材のさらに他の実施形態を使用法と共に示す断面図である。
【図１１】図１０の吐出部材と共に用いる選択ノズルの一実施形態を示す断面図である。
【図１２】図１２ａは本発明に係るバルブの他の実施形態を示す断面図、図１２ｂは図１２ａのバルブのステムの先端部を示す斜視図、図１２ｃはそのステムに取り付ける押しボタンの一実施形態を示す断面図である。
【発明を実施するための形態】
【００２２】
図１に示す２液吐出装置１０は、容器本体１１と、その容器本体の内部に収容される内部容器１２と、前記容器本体１１の上端開口に取り付けられるバルブアッセンブリ１３と、そのバルブアッセンブリに装着される吐出部材１４とを備えている。内部容器１２は、容器本体１１の下方に配置された下収納部（第１収納部）１５と、容器本体１１内の上方に配置された上収納部（第２収納部）１６に区画されている。上収納部１６および下収納部１５には互いに異なる内容物が充填されている。容器本体１１と内部容器１２の間の空間には、内部容器１２を加圧する噴射剤が充填されている。
【００２３】
容器本体１１は上端に開口１７を有する有底筒状の耐圧容器であり、図１の実施形態では円筒状の胴部１８と、その胴部の上端に連続する円錐状の肩部１９と、その肩部の上端に形成されたビード２０と、胴部の下端を塞ぐ底部２１を備えたいわゆるワンピース缶を用いている。ただし２ピース缶や３ピース缶を用いることもできる。さらに合成樹脂ボト
ルやガラス瓶など、他の材質の容器を用いることもできる。
【００２４】
内部容器１２は柔軟性を有する有底筒状の袋であり、上収納部１６と下収納部１５とその上下の収納部の間に設けられるくびれ部１２ａとを有する内袋胴部１２ｂと、その内袋胴部の上部に設けられる首部１６ａと、首部の上端に設けられるフランジ部１６ｂと、内袋胴部の下端を閉じる底部１５ａとを備えている。内部容器１２はポリエチレン、エバール、ナイロンなどの合成樹脂製のブロー成形品のほか、アルミ箔と合成樹脂フィルムを積層したラミネートシートを袋状に形成したパウチなどが用いられる。内部容器１２はガスバリア性を有するものが好ましい。また、内部容器１２は上収納部１６と下収納部１５を別体とし、くびれ部１２ａで連結してもよい。くびれ部１２ａには上収納部１６と下収納部１５とを通路を除いて遮断する中栓２３が装着されている。中栓２３はくびれ部１２ａと液密に嵌合する外周部２３ａと、上下に貫通しパイプ２２を液密に挿入する中心部２３ｂを備えている。パイプ２２が前述の通路となり、バルブアッセンブリ１３と下収納部１５はパイプ２２で連通している。パイプ２２はステンレスなどの金属製のものが好ましい。ただし合成樹脂製のパイプでもよく、可撓性を有するチューブであってもよい。内部容器１２およびパイプ２２は容器本体の中心軸に添って配置されている。
【００２５】
バルブアッセンブリ１３は、図２に示すように、有底筒状のハウジング２４と、そのハウジング内に上下移動自在に収容されるステム２５と、ステムの周囲に嵌合され、第１および第２ステム孔２６、２７を開閉する第１および第２ステムラバー２８、２９と、ステム２５を上方に付勢するバネ３０と、ハウジング２４を容器本体１１に固定すると共に容器本体１１および内部容器１２の上端開口を塞ぐマウンティングカップ３１とを備えている。ステム２５は、中心を通る第１通路３２と、その第１通路３２の外側に同心状に設けられる第２通路３３を有する。第２通路３３はドーナッツ状の横断面を有し、下端は第１通路３２より高い位置で止まっており、上端は第１通路３２より低い位置にある。第１通路３２と第２通路３３を仕切る壁３２ａは筒状であり、その筒状の壁３２ａの上端はステム２５の外周壁より高い。このように段差をつけると、ステム２５と押しボタン４５の連結部で第１通路の内容物と第２通路の内容物が混ざりにくい。
【００２６】
ステム２５の外周には、リング状のスペーサ３４を介して上下に配置される２枚のステムラバー２８、２９が嵌合する環状溝３５、３６が設けられており、下側の環状溝３５と第１通路３２は第１ステム孔２６によって連通し、上側の環状溝３６と第２通路３３は第２ステム孔２７によって連通している。リング状のスペーサ３４には、内外を連通する横連通孔３４ａが半径方向に延びている。さらにハウジング２４には、上収納部１６と横連通孔３４ａとを連通する縦連通孔３７が形成されている。
【００２７】
ハウジング２４の下端から下向きに筒部３８が突出しており、その筒部に漏斗状の案内部材３９が嵌合されている。案内部材３９の内部には下収納部１５と連通するパイプ２２の上端が嵌合している。マウンティングカップ３１は、ハウジング２４を保持する中央のハウジング保持部４０と、ビード２０の上面にガスケット４１を介して被せられる被せ部４２とを備えた公知のものである。マウンティングカップ３１は金属板の成形品である。ハウジング２４および案内部材３９は通常は合成樹脂製である。ただし金属製でもよい。
【００２８】
上記のように構成されるバルブアッセンブリ１３は、下収納部１５からパイプ２２、ハウジング２４、第１ステム孔２６を経由して第１通路３２に至る第１のバルブ通路と、上収納部１６から縦連通孔３７、横連通孔３４ａ、２枚のステムラバーで区画されるハウジング２４の上部空間、第２ステム孔２７を経て第２通路３３に至る第２のバルブ通路とを有する。バルブ通路同士は互いに独立しており、上収納部１６の第２内容物と下収納部１５の第１内容物が混合しない。第１のバルブ通路は、ステム２５が上昇しているときは、第１ステム孔２６を塞ぐ第１ステムラバー２８によって途中で遮断されている。第２のバ
ルブ通路も同様に、第２ステム孔２７を塞ぐ第２ステムラバー２９によって遮断されている。
【００２９】
そしてステム２５を押下げると、第１ステムラバー２８が撓み、第１ステム孔２６が開放されるので、下収納部１５からパイプ２２を通り、ハウジング２４内を経由してステムの第１通路３２の上端に至る第１のバルブ通路が連通する。同時に、第２ステムラバー２９が撓み、第２ステム孔２７が開放されるので、上収納部１６からハウジングの上部空間および第２ステム孔２７を経由して第２通路３３の上端に至る第２のバルブ通路も連通する。
【００３０】
前記吐出部材１４は、マウンティングカップ３１に取り付けられるホルダー４４と、そのホルダーに上下移動自在に、かつ垂直方向に延びる軸線Ｊ回りに回動自在に設けられる押しボタン４５とを備えている。軸線Ｊは容器本体１１の軸心Ｐから所定の偏心量ｅだけ偏心している。この実施形態では、押しボタン４５は図３ａ〜ｃに示すように．ステム嵌合孔以外は同一形状の一対の半体４５ａ、４５ｂを組合せたものからなる。それぞれの半体４５ａ、４５ｂは、上下方向に延びるステム嵌合孔４６ａ、４６ｂと、そのステム嵌合孔から横方向に延びる吐出孔（スパウト）４７ａ、４７ｂとを備えており、ステム嵌合孔４６ａ、４６ｂと吐出孔４７ａ、４７ｂは独立したボタン通路でそれぞれ連通している。図２および図３ａに示すように、ステム嵌合孔４６ａ、４６ｂは押しボタン４５の回動の中心である軸線Ｊを挟んで前記偏心量ｅだけ反対側に設けられている。
【００３１】
そして図２に示すように、一方の半体４５ａのステム嵌合孔４６ａは、ステム２５に嵌合したとき、ステム２５の中心を通る第１通路３２と連通し、第２通路３３を塞ぐように形成している。そして他方の半体４５ｂのステム嵌合孔４６ｂは、ステム２５に嵌合させたとき、第１通路３２を塞ぎ、第２通路３３と連通するように形成している。また、回動の中心Ｊ1が偏心しているのに合せて、ホルダー４４も片方に偏っている。すなわちこの実施形態では、図２の左側の壁４４ａは傾斜しており、右側の壁４４ｂはほぼ垂直である。
【００３２】
押しボタン４５を２個の半体４５ａ、４５ｂの組合せによって構成するのは、２本のステム嵌合孔４６ａ、４６ｂや互いに反対方向に延びる吐出孔４７ａ、４７ｂを有する押しボタン４５を合成樹脂で容易に成形できるようにするためであり、金型をシンプルにするためである。なお、この実施形態では図３ａに示すように、それぞれの半体の平面形状を丸い頭部と湾曲した尾部とを有する形状とし、２個の半体を合せると二つ巴の紋あるいは中国の太極の模様となるようにしている。半体４５ａ、４５ｂを異なる色にすることで、消費者にどちらの内容物を吐出するかを認識させることができる。
【００３３】
図３ｃに示すように、それぞれの半体４５ａ、４５ｂは有底筒状であり、平面形状が三日月の部位４８と、その三日月の弦４８ａの一端から突出する矩形の部位４８ｂとを合せた形を呈する。また、三日月の弦４８ａの他端からは、他方の半体の矩形部分の上面に重ねられる円板状の係合片４９が突出しており、矩形部分の上面には重ねられる範囲に浅い凹所５０が形成されている。係合片４９の中心部には円形の孔５１が形成され、前記凹所５０の中心にはその孔５１に嵌合される低い円柱状の突起５２が形成されている。突起５２の先端を半体４５ａ、４５ｂ毎に異なる形状にしたり点字を設けることで、消費者がどちらの内容物を吐出するか認識しやすくなる。そして突起５２の裏面側には、前述のステム嵌合孔４６ａ、４６ｂを形成するための円柱５３が設けられており、その部位から半径方向外側に向かって吐出孔４７を有する突起５４が突出している。なお、図３ｃなどの符号５５は、ホルダー４４に設けた鍔の下面と係合してスライドする抜け止め片である。
【００３４】
上記のように構成される２液吐出装置１０は、第１通路３２と連通する半体（以下、第
１半体という）４５ａがステム２５の上部に来るように押しボタン４５を載置し、押し下げると、前述のように第１バルブ通路が連通すると共に、第１半体４５ａの第１ボタン通路を経由して吐出孔４７に至る第１吐出通路の全体が連通する。そのため、容器本体１１内の圧力によって下収納部１５の第１内容物を吐出することができる。このとき、第２通路３３は塞がれているので、上収納部１６の第２内容物が混入することはない。
【００３５】
ついで押しボタン４５をステム２５から抜き取り、軸線Ｊ回りに１８０度回動し、第２通路３３と連通する半体（以下、第２半体という）４５ｂをステム２５の上方に移動させてステム２５がステム嵌合孔に嵌るように押し込むと、前記と同様に第２半体４５ｂの第２ボタン通路を経由して吐出孔に至る第２バルブ通路が連通し、第１バルブ通路が塞がれる。それにより第２吐出通路の全体が連通し、上収納部１６の第２内容物を外部に吐出することができる。このときは第１通路が閉じられているので、下収納部１５の第１内容物が混入しない。なお、押しボタン４５を９０度回動したとき、抜け止め片５５がホルダー４４と干渉して下降できないように構成すると、上下いずれの内容物も吐出できないロック状態に切り替えることができる吐出装置が得られる。また、このとき２つの突起５４は吐出方向に対して垂直方向に並ぶため、消費者は目視で吐出できない状態であることを認識することができる。この２液吐出装置１０は上記のように作用するので、上下の収納部に充填した異なる内容物を状況に応じて使い分けることができる。また、必要に応じて吐出してから混合することもできる。
【００３６】
図１の２液吐出装置１０は、押しボタン４５をステム２５から抜き取り、垂直軸回りに回動させ、再びステムに嵌合して吐出通路を切り替えるようにしているが、図４に示す２液吐出装置６０のように、押しボタン４５をステム２５から抜き取った後、前後にスライドさせて他方のステム嵌合孔をステムに嵌合して吐出通路を切り替えるようにすることもできる。この２液吐出装置６０は、ホルダー４４と、そのホルダーに対して前後に移動自在に設けた押しボタン４５とからなる吐出部材を備えている。押しボタン４５は、ステム４５の第１通路と連通し、第２通路を塞ぐ第１のステム嵌合孔４６ａと、これとは逆に第１通路を塞ぎ、第２通路と連通する第２のステム嵌合孔４６ｂとを有する。
【００３７】
この実施形態では、第１および第２ステム嵌合孔４６ａ、４６ｂと連通する第１および第２吐出孔４７ａ、４７ｂがいずれも前側に延びている。容器本体１１、内部容器１２、ステム２５などは図１の２液吐出装置１０の場合と同様である。この２液吐出装置６０も、異なる内容物を状況に応じて使い分けたり、混合したりすることができる。
【００３８】
図５ａに示す吐出部材６１は、左右の水平方向に延びる軸線Ｊ2回りに回動するロータリバルブ６２によって吐出通路を切り替えるものである。図５ｃに示すように、ロータリバルブ６２は、ステム２５に装着された保持部６２ａと、その保持部によって軸線Ｊ2回りに回転自在に支持される回転体６３とを備えている。保持部６２ａは、ホルダー（ワンタッチキャップ）４４に設けられる噴射レバー６４によってステム２５と共に昇降操作されるものであり、回転体６３の円筒面が摺接する凹面６２ｂを有する。回転体６３内には、それぞれ直径方向で、かつ互いに直交するように形成された２本の通路６３ａ、６３ｂが形成されている。
【００３９】
これらの通路のうち１方の通路６３ａは、図５ｃに示すように、保持部６２ａの凹面６２ｂに臨んだとき、ステムの第１通路３２と連通する保持部６２ａ内の内側通路と連通し、ステムの第２通路３３と連通する保持部６２ａ内の外側通路を塞ぐものである。他方の通路６３ｂは、第１の通路６３ａと干渉しないように交差しており、保持部６２ａの凹面６２ｂに臨んだときは内側通路を塞ぎ、外側通路と連通する。回転体６３の端部には通路６３ａ、６３ｂを切り替える切替レバー６５が設けられている。この実施形態では、切替レバー６５を回して切り替えた上で、噴射レバー６４を押し込み操作すると、切替レバー
６５の状態に応じて下収納部あるいは上収納部の内容物を吐出させることができる。また、保持部６２ａは常時ステム２５に嵌合しており、回転体６３は保持部６２ａの凹面６２ｂに摺接するので、吐出部材をステムから外さなくても切換操作ができる。
【００４０】
図１の内部容器１２は、下収納部１５に第１内容物を充填し、上収納部１６に第２内容物を充填し、容器本体１１と内部容器１２の間に内部容器を加圧する噴射剤を充填しているが、第１内容物と噴射剤とを混合充填できる場合は、図６に示す２液吐出装置６６のように、容器本体１１と内部容器の間の空間に第１内容物と噴射剤を一緒に充填することもできる。この場合は上収納部（第２収納部）１６のみが内部容器となり、容器本体１１と内部容器の間の空間が下収納部（第１収容部）となる。他の構成は図１の容器本体１１および内部容器１２と同様である。なお、図６では吐出部材を図示していない。この２液吐出装置６６でも、用途に応じて図２の回転切り換え式の吐出部材１４、図４のスライド切り換え式の吐出部材、あるいは後述する吐出部材を選択して採用する。
【００４１】
図７〜９に示す吐出部材７０は、ステム２５の上端に固定される押しボタン本体７１と、その押しボタン本体７１にそれぞれ上下移動自在に設けた第１通路３２を開閉する第１操作ボタン７２および第２通路３３を開閉する第２操作ボタン７３とからなる。第１操作ボタン７２の軸は断面円形であり（図９参照）、上端に押し部７２ａが設けられている。第２操作ボタン７３の軸は円弧状の断面を有し（図１２参照）、上端に押し部７３ａが設けられている。この実施形態では第１操作ボタン７２の押し部７２ａが第２操作ボタン７３の押し部７３ａより上方に突出している。ただし第１操作ボタン７２と第２操作ボタン７３を並列的に設けてもよい。また、各操作ボタンの軸の断面は矩形など、他の形状であってもよい。
【００４２】
操作ボタン７２、７３による第１通路３２および第２通路３３の開閉は、各通路のステム上端開口を塞いだり開いたりすることによっても可能であるが、この実施形態では横方向に延びる吐出孔７４、７５の基部側の開口を操作ボタン７２、７３の下端部で塞いだり開いたりすることにより行っている。いずれの方法によるかは、摺動部あるいは当接部のシールの必要性や、気密の厳密性、製造のしやすさなどによって選択すればよい。
【００４３】
図７の状態では、第１操作ボタン７２が上昇しており、第１通路３２と連通する第１吐出孔７４は開いている。他方、第２通路３３と連通する第２吐出孔７５は第２操作ボタン７３によって閉じている（図１１参照）。それにより、第２操作ボタン７３の上端を押下げてステム２５を下降させると、下収納部内の第１内容物のみが外部に吐出され、上収納部の第２内容物は吐出されない。手を離すとステム２５が上昇して吐出が止まる。
【００４４】
前述とは逆に、第２操作ボタン７３を引き上げて第１操作ボタン７２をステム２５と共に押し下げると、第１吐出孔７４が閉じて第２吐出孔７５が開き、上収納部の第２内容物のみが吐出され、下収納部の第１内容物が吐出しない。両方の操作ボタン７２、７３を引き上げた状態で、押しボタン本体７１を押下げると、第１吐出孔７４と第２吐出孔７５の両方が開き、下収納部の第１内容物と上収納部の第２内容物が同時に吐出する。なお、押し部７２ａ、７３ａとボタン本体７１の上面との間にスプリング７２ｂ、７３ｂを設けて、押し下げ操作を止めたときに通路が自動的に開放することが好ましい。
【００４５】
図１０は着脱式の切替ノズルの実施形態を示している。この切替ノズル７６は円筒状の外壁７７と、その外壁の中間部に仕切るように設けたリング状の外周塞ぎ壁７８と、その外周塞ぎ壁の内縁から突出する小円筒部７９と、その小円筒部の先端を塞ぐ中心塞ぎ壁８０とを備えている。小円筒部７９の奥には、内外を連通する連通孔８１が半径方向に延びている。また、外壁７７の内周は図１１に示す押しボタン８３の吐出ノズル８５の外周と密に嵌合する寸法であり、小円筒部７９の内周は吐出ノズルの中心突起８２の外周と密に
嵌合する寸法である。小円筒部７９の深さは、中心突起８２の高さ、すなわち第１吐出孔８７ａの先端と第２吐出孔８７ｂの先端の段差より深くしている。なお、前記嵌合はいずれも内圧に耐えることが必要である。
【００４６】
このものは図１０の左側のように、小円筒部７９に中心突起８２を嵌合させて外周塞ぎ壁７８で第２吐出孔８７ｂの開口を塞ぐと、第１吐出孔８７ａと外部とが連通孔８１を介して連通し、下収納部の第１内容物だけを吐出することができる。そして図１０の右側のように、切替ノズル７６の前後を逆にして吐出ノズル８５の外周に装着すると、中心塞ぎ壁８０が第１吐出孔８７ａを塞ぎ、第２吐出孔８７ｂが連通孔８１を介して外部と連通する。したがって簡易な部品で切換え操作ができる利点がある。
【００４７】
図１１は図１０の切替ノズル７６を装着する押しボタン８３を示している。この押しボタン８３は、ステム２５の上端に装着する縦部８４と、吐出孔となる横部８５とを略直角に結合したものである。縦部８４の下端には前述のものと同様のステム２５の上端と嵌合するステム嵌合孔８６が形成されている。このステム嵌合孔８６は、ステムの外周と嵌合する大径の嵌合孔８６ａと、奥に設けた段部８６ｂに形成した、ステムの第１通路を囲む筒部と嵌合する小径の嵌合孔８６ｃとからなる。横部８５には、ステムの第１通路３２と連通する第１吐出孔８７ａと、ステムの第２通路と連通する断面環状の第２吐出孔８７ｂとが設けられている。第２吐出孔８７ｂを囲む筒部８７ｃの先端は、外周壁８７ｄより突出している。このような押しボタン８３は、図１０の切替ノズル７６を装着することにより、第１通路３２を経由する下収納部の第１内容物と第２通路３３を経由する上収納部の第２内容物の吐出を容易に切換えることができる。
【００４８】
図２のバルブアッセンブリ１３ではステム２５の第１通路３２の周囲に断面ドーナッツ状の第２通路３３が同心状に配置されているが、図１２ａのバルブアッセンブリ９０のように、第１通路３２と第２通路３３を平行に配置することもできる。このステム９１の場合も図１２ｂに示すように、第１通路３２の出口端と、第２通路３３の出口端に段差ｄｓを設けるほうが、第１内容物と第２内容物が混ざりにくいので好ましい。このステム９１では、第１通路３２が開口する高い部位２５ａと、第２通路３３が開口する低い部位２５ｂとを有する。
【００４９】
このバルブアッセンブリ９０に用いる吐出部材としては、図１〜５の吐出部材のいずれをも採用することができるが、ステム嵌合孔については、たとえば図１２ｃの押しボタン９２のように、段差に対応した形態を採用する。この押しボタン９２は、ステム上端の高い部位２５ａと嵌合する深い凹所４６ｃと、低い部位２５ｂと嵌合する浅い凹所４６ｄを有するステム嵌合孔４６ａ、４６ｂを備えている。そして第１のステム嵌合孔４６ａでは、深い凹所４６ｃから第１吐出孔４７ａが上方に向かって延び、第２のステム嵌合孔４６ｂでは、浅い凹所４６ｄから第２吐出孔４７ｂが上方に向かって延びている。
【００５０】
そのため、図４のスライドタイプの吐出部材と同様に、ステム９１に押しボタン９２の第１のステム嵌合孔４６ａを嵌合して押しボタン９２を押し下げることにより、第１通路３２と連通する第１吐出孔４７ａから第１内容物を吐出することができる。他方、ステム９１に第２の嵌合孔４６ｂを嵌合してス押し下げることにより、第２吐出孔４７ｂから第２内容物を吐出することができる。
【００５１】
前記実施形態では、第１収納部と第２収納部を上下に配置しているが、左右に並列的に配置し、それぞれを異なる通路を介してバルブアッセンブリに接続することもできる。
【符号の説明】
【００５２】
１０  ２液吐出装置
１１  容器本体
１２  内部容器
１２ａ  くびれ部
１２ｂ  内袋胴部
１３  バルブアッセンブリ
１４  吐出部材
１５  下収納部（第１収納部）
１５ａ  底部
１６  上収納部（第２収納部）
１６ａ  首部
１６ｂ  フランジ部
１７  開口
１８  胴部
１９  肩部
２０  ビード
２１  底部
２２  パイプ
２３  中栓
２３ａ  外周部
２３ｂ  中心部
２４  ハウジング
２５  ステム
２６  第１ステム孔
２７  第２ステム孔
２８  第１ステムラバー
２９  第２ステムラバー
３０  バネ
３１  マウンティングカップ
３２  第１通路
３２ａ  壁
３３  第２通路
３４  スペーサ
３４ａ  横連通孔
３５、３６  環状溝
３７  縦連通孔
３８  筒部
３９  案内部材
４０  ハウジング保持部
４１  ガスケット
４２  被せ部
４４  ホルダー
４４ａ  左側の壁
４４ｂ  右側の壁
４５  押しボタン
４５ａ、４５ｂ  半体
Ｊ  軸線
Ｐ  容器本体の軸心
４６ａ、４６ｂ  ステム嵌合孔
４７ａ、４７ｂ  吐出孔
ｅ  偏心量
４８  三日月の部位
４８ａ  弦
４８ｂ  矩形の部位
４９  係合片
５０  凹所
５１  円形の孔
５２  低い円柱状の突起
５３  円柱
５４  突起
５５  抜け止め片
６０  ２液吐出装置
６１  吐出部材
Ｊ2  軸線
６２  ロータリバルブ
６２ａ  保持部
６２ｂ  凹面
６３  回転体
６３ａ、６３ｂ  通路
６４  噴射レバー
６５  切替レバー
６６  ２液吐出装置
７０  吐出部材
７１  押しボタン本体
７２  第１操作ボタン
７２ａ  押し部
７２ｂ  スプリング
７３  第２操作ボタン
７３ａ  押し部
７３ｂ  スプリング
７４、７５  吐出孔
７６  切替ノズル
７７  外壁
７８  外周塞ぎ壁
７９  小円筒部
８０  中心塞ぎ壁
８１  連通孔
８２  突起
８３  押しボタン
８４  縦部
８５  横部（吐出ノズル）
８６  ステム嵌合孔
８６ａ  大径の嵌合孔
８６ｂ  段部
８６ｃ  小径の嵌合孔
８７ａ  第１吐出孔
８７ｂ  第２吐出孔
８７ｃ  筒部
８７ｄ  外周壁
９０  バルブアッセンブリ
９１  ステム
９２  押しボタン
２５ａ  高い部位
２５ｂ  低い部位
ｄｓ  段差
４６ｃ  深い凹所
４６ｄ  浅い凹所
【図１】
0005973740.tif 000002
【図２】
0005973740.tif 000003
【図３】
0005973740.tif 000004
【図４】
0005973740.tif 000005
【図５】
0005973740.tif 000006
【図６】
0005973740.tif 000007
【図７】
0005973740.tif 000008
【図８】
0005973740.tif 000009
【図９】
0005973740.tif 000010
【図１０】
0005973740.tif 000011
【図１１】
0005973740.tif 000012
【図１２】
0005973740.tif 000013